(57)【要約】      （修正有）【課題】タッチに対する高い検出感度や検出精度を示すタッチセンサ、およびこのタッチセンサが搭載された表示装置を提供する。【解決手段】複数の画素と、複数の画素と重なるタッチセンサ３００を有する表示装置１００が提供される。タッチセンサは、第１の方向に延び、複数の第１の電極３０２を有する第１の配線３１０と、第１の方向に交差する第２の方向に延び、複数の第２の電極３０４を有する第２の配線３２０とを有する。第１の電極と第２の電極の各々は、それぞれ第１の方向と第２の方向において幅が連続的、あるいは段階的に変化し、かつ、以下の式を満足する。数１2018205623.tif 000010ここで、Ｓは第１の電極と第２の電極の各々の面積であり、Ａは第１の電極と第２の電極の各々の辺の長さの総和である。【選択図】図４
2018205623.tif 000002
【特許請求の範囲】
【請求項１】
複数の画素と、
前記複数の画素と重なるタッチセンサを有し、
前記タッチセンサは、
第１の方向に配列され、複数の第１の電極を有する第１の配線と、
前記第１の方向に交差する第２の方向に配列され、複数の第２の電極を有する第２の配線を有し、
前記第１の電極と前記第２の電極の各々は、それぞれ前記第１の方向と第２の方向において幅が連続的、あるいは段階的に変化し、かつ、以下の式を満足し、
【数１】
2018205623.tif 000009
Ｓは前記第１の電極と前記第２の電極の各々の面積であり、Ａは前記第１の電極と前記第２の電極の各々の辺の長さの総和である表示装置。
【請求項２】
前記第１の配線は、前記第１の電極の隣接する二つを互いに電気的に接続し、一定の幅を有する接続部をさらに有し、
前記第２の配線は、前記第２の電極の隣接する二つを互いに電気的に接続し、一定の幅を有する接続部をさらに有する、請求項１に記載の表示装置。
【請求項３】
前記第１の電極と前記第２の電極の各々は多角形の形状を有し、
前記多角形の各辺は、前記第１の配線と前記第２の配線の短い方の幅よりも長い、請求項１に記載の表示装置。
【請求項４】
前記多角形は、三角形である、請求項３に記載の表示装置。
【請求項５】
前記多角形は、正三角形、二等辺三角形、および直角三角形から選ばれる、請求項４に記載の表示装置。
【請求項６】
前記第１の電極と前記第２の電極の各々は、複数の開口を有するメッシュ状である、請求項１に記載の表示装置。
【請求項７】
前記開口の各々は、前記複数の画素のうち三つ以上と重なる、請求項６に記載の表示装置。
【請求項８】
前記複数の画素の隣接する二つの間に隔壁をさらに有し、
前記第１の電極と前記第２の電極の各々において、隣接する二つの開口の間の領域は、前記隔壁と重なる領域内に制限される、請求項６に記載の表示装置。
【請求項９】
前記複数の第１の電極は直線状に配置され、
前記複数の第２の電極はジグザグパターンに配置される、請求項１に記載の表示装置。
【請求項１０】
前記第２の配線の前記接続部は、前記第２の方向から傾く、請求項２に記載の表示装置。
【請求項１１】
前記第１の配線と前記第２の配線の間に絶縁膜をさらに有する、請求項１に記載の表示装置。
【請求項１２】
発光素子を有する複数の画素と、
前記複数の画素と重なるタッチセンサを有し、
前記タッチセンサは、
ストライプ状に配列し、互いに交互する複数の送信電極と複数の接続部をそれぞれ有する第１乃至第ｎの送信配線と、
ストライプ状に配列し、互いに交互する複数の受信電極と複数の接続部をそれぞれ有する第１乃至第ｍの受信配線を有し、
前記複数の送信電極と前記複数の受信電極の各々は、三角形状を有し、
ｍとｎはそれぞれ２以上の自然数である、表示装置。
【請求項１３】
前記送信電極の前記三角形状の向きは、前記受信電極の前記三角形状の向きと反対である、請求項１２に記載の表示装置。
【請求項１４】
前記複数の受信電極の１つは、前記第ｋの送信配線が有する隣接する二つの送信電極と、前記第（ｋ＋１）の送信配線が有する一つの送信電極に囲まれ、
ｋは１以上、ｎ未満の自然数である、請求項１２に記載の表示装置。
【請求項１５】
前記複数の受信電極の１つは、前記第ｋの送信配線が有する隣接する二つの送信電極と、前記第（ｋ＋１）の送信配線が有する隣接する二つの送信電極に囲まれ、
ｋは１以上、ｎ未満の自然数である、請求項１２に記載の表示装置。
【請求項１６】
前記囲まれた受信電極の三つの辺はそれぞれ、
前記第ｋの送信配線が有する前記二つの送信電極の一方の一辺、
前記第ｋの送信配線が有する前記二つの送信電極の他方の一辺、
前記第（ｋ＋１）の送信配線が有する前記一つの送信電極の一辺と平行である、請求項１５に記載の表示装置。
【請求項１７】
前記複数の送信電極と前記複数の受信電極の各々は、複数の開口を有するメッシュ状であり、
前記開口の各々は、前記複数の画素の三つ以上と重なる、請求項１２に記載の表示装置。
【請求項１８】
前記複数の画素の隣接する二つの間に隔壁をさらに有し、
前記複数の送信電極と前記複数の受信電極の各々において、隣接する二つの開口の間の領域は、前記隔壁と重なる領域内に制限される、請求項１７に記載の表示装置。
【請求項１９】
前記第１乃至第ｎの送信配線と前記第１乃至第ｍの受信配線の間に絶縁膜をさらに有する、請求項１２に記載の表示装置。
【発明の詳細な説明】
【技術分野】
【０００１】
本発明の実施形態の一つは、タッチセンサが搭載された表示装置に関する。例えば、タッチセンサが搭載された有機ＥＬ（Ｅｌｅｃｔｒｏｌｕｍｉｎｅｓｃｅｎｃｅ）表示装置に関する。
【背景技術】
【０００２】
ユーザが表示装置に対して情報を入力するためのインターフェースとして、タッチセンサが知られている。タッチセンサを表示装置の画面と重なるように設置することで、ユーザは画面に指を直接、あるいは間接的に接触（タッチ）させて情報を入力し、画面上に表示される入力ボタンやアイコンなどを操作することができる。例えば特許文献１では、画面を横切るように配置された三角形の電極と長方形の電極で構成されるタッチセンサが開示されている。このタッチセンサでは、三角形の電極が生成する電場勾配を利用してタッチ位置の座標の一方が決定される。
【先行技術文献】
【特許文献】
【０００３】
【特許文献１】特開２００７−２９９４０９号公報
【発明の概要】
【発明が解決しようとする課題】
【０００４】
本発明の実施形態は、タッチセンサ、およびタッチセンサが搭載された表示装置を提供することを課題の一つとする。例えば、タッチに対する高い検出感度や検出精度を示すタッチセンサ、およびこのタッチセンサが搭載された表示装置を提供することを課題の一つとする。
【課題を解決するための手段】
【０００５】
本発明の実施形態の一つは、複数の画素と、複数の画素と重なるタッチセンサを有する表示装置である。タッチセンサは、第１の方向に配列し、複数の第１の電極を有する第１の配線と、第１の方向に交差する第２の方向に配列し、複数の第２の電極を有する第２の配線とを有する。第１の電極と第２の電極の各々は、それぞれ第１の方向と第２の方向において幅が連続的、あるいは段階的に変化し、かつ、以下の式を満足する。
【数１】
2018205623.tif 000003
ここで、Ｓは第１の電極と第２の電極の各々の面積であり、Ａは第１の電極と第２の電極の各々の辺の長さの総和である。
【０００６】
本発明の実施形態の一つは、発光素子を有する複数の画素と、複数の画素と重なるタッチセンサを有する表示装置である。タッチセンサは、ストライプ状に配列し、互いに交互する複数の送信電極と複数の接続部をそれぞれ有する第１乃至第ｎの送信配線と、ストライプ状に配列し、互いに交互する複数の受信電極と複数の接続部をそれぞれ有する第１乃至第ｍの受信配線とを有する。複数の送信電極と複数の受信電極の各々は三角形状を有し、ｍとｎはそれぞれ２以上の自然数である。
【０００７】
本発明の実施形態の一つは、複数の画素と、複数の画素と重なるタッチセンサを有する表示装置である。タッチセンサは、ストライプ状に配置され、第１の方向に延びる第１の配線、第２の配線、および第３の配線と、ストライプ状に配置され、第１の方向と交差する第２の方向に延びる第４の配線と第５の配線とを有する。第１の配線、第２の配線、第３の配線の各々は複数の第１の電極と接続される。第４の配線と第５の配線の各々は複数の第２の電極と接続される。第４の配線の第２の電極の１つは、第１の配線の複数の第１の電極の一つ、第２の配線の複数の第１の電極の一つ、第３の配線の複数の第１の電極の一つに囲まれる。第５の配線の第２の電極の一つは、第１の配線の複数の第１の電極の一つ、第２の配線の複数の第１の電極の一つ、第３の配線の複数の第１の電極の一つに囲まれる。
【０００８】
本発明の実施形態の一つは、複数の画素と、複数の画素と重なるタッチセンサを有する表示装置である。タッチセンサは、ストライプ状に配置され、それぞれ複数の送信電極と接続される複数の送信配線と、ストライプ状に配置され、それぞれ複数の受信電極と接続される複数の受信配線とを有する。隣接する二つの送信配線に挟まれる受信電極は、この二つの送信配線に挟まれる送信電極よりも少ない。
【０００９】
本発明の実施形態の一つは、複数の画素と、複数の画素と重なるタッチセンサを有する表示装置である。タッチセンサは、互いに交互する複数の第１の配線と複数の第２の配線、および、複数の第１の配線と複数の第２の配線と交差する複数の第３の配線とを有する。複数の第１の配線の各々は、複数の四角形の送信電極を有し、複数の第２の配線の各々は、複数の八角形の送信電極を有し、複数の第３の配線の各々は、複数の八角形の送信電極を有する。
【図面の簡単な説明】
【００１０】
【図１】本発明の実施形態の表示装置の模式的展開図。
【図２】本発明の実施形態の表示装置の模式的上面図。
【図３】本発明の実施形態の表示装置の模式的断面図。
【図４】本発明の実施形態の表示装置の模式的上面図。
【図５】本発明の実施形態の表示装置のタッチ電極の上面模式図。
【図６】本発明の実施形態の表示装置の模式的断面図。
【図７】本発明の実施形態の表示装置、および従来の表示装置のタッチ電極の模式的上面図。
【図８】本発明の実施形態の表示装置のタッチ電極の上面模式図。
【図９】本発明の実施形態の表示装置の模式的断面図。
【図１０】本発明の実施形態の表示装置のタッチ電極の上面模式図。
【図１１】本発明の実施形態の表示装置の模式的上面図。
【図１２】本発明の実施形態の表示装置の模式的断面図。
【図１３】本発明の実施形態の表示装置の模式的断面図。
【図１４】本発明の実施形態の表示装置の模式的上面図。
【図１５】本発明の実施形態の表示装置の模式的上面図。
【図１６】本発明の実施形態の表示装置のタッチ電極の上面模式図。
【図１７】本発明の実施形態の表示装置のタッチ電極の上面模式図。
【図１８】本発明の実施形態の表示装置のタッチ電極の上面模式図。
【図１９】本発明の実施形態の表示装置のタッチ電極の上面模式図。
【図２０】本発明の実施形態の表示装置のタッチ電極の上面模式図。
【図２１】本発明の実施形態の表示装置のタッチ電極の上面模式図。
【図２２】本発明の実施形態の表示装置のタッチ電極の上面模式図。
【図２３】本発明の実施形態の表示装置のタッチ電極の上面模式図。
【図２４】本発明の実施形態の表示装置のタッチ電極の上面模式図。
【図２５】本発明の実施形態の表示装置のタッチ電極の上面模式図。
【図２６】本発明の実施形態の表示装置のタッチ電極の上面模式図。
【発明を実施するための形態】
【００１１】
以下、本発明の各実施形態について、図面等を参照しつつ説明する。但し、本発明は、その要旨を逸脱しない範囲において様々な態様で実施することができ、以下に例示する実施形態の記載内容に限定して解釈されるものではない。
【００１２】
図面は、説明をより明確にするため、実際の態様に比べ、各部の幅、厚さ、形状等について模式的に表される場合があるが、あくまで一例であって、本発明の解釈を限定するものではない。本明細書と各図において、既出の図に関して説明したものと同様の機能を備えた要素には、同一の符号を付して、重複する説明を省略することがある。
【００１３】
本発明において、ある一つの膜を加工して複数の膜を形成した場合、これら複数の膜は異なる機能、役割を有することがある。しかしながら、これら複数の膜は同一の工程で同一層として形成された膜に由来し、同一の層構造、同一の材料を有する。したがって、これら複数の膜は同一層に存在しているものと定義する。
【００１４】
本明細書および特許請求の範囲において、ある構造体の上に他の構造体を配置する態様を表現するにあたり、単に「上に」と表記する場合、特に断りの無い限りは、ある構造体に接するように、直上に他の構造体を配置する場合と、ある構造体の上方に、さらに別の構造体を介して他の構造体を配置する場合との両方を含むものとする。
【００１５】
（第１実施形態）
［１．全体構成］
図１は、本発明の実施形態の一つである、タッチセンサが搭載された表示装置（以下、単に表示装置と記す）１００の模式的な展開図である。表示装置１００は、基板１０２、回路層１１０、回路層１１０上の保護膜（以下、パッシベーション膜と記す）２００、およびタッチセンサ３００を有する。表示装置１００はさらに、任意の構成として、偏光板２１０や対向基板１０４を有していてもよい。
【００１６】
基板１０２は回路層１１０やパッシベーション膜２００、タッチセンサ３００を支持する機能を有し、ガラスや石英、高分子などを含むことができる。
【００１７】
回路層１１０は、表示装置１００に表示機能を付与するために設けられ、パターニングされた種々の絶縁膜、半導体膜、導電膜の積層によって構成される。これらの膜を適宜配置することにより、回路層１１０には複数の画素１１２や走査線側駆動回路１１６、端子１２０、１２２などが形成される。複数の画素１１２によって表示領域１１４が形成される。
【００１８】
パッシベーション膜２００は各画素１１２に設けられる表示素子を保護するために設けられ、単一、あるいは複数の絶縁膜によって形成される。タッチセンサ３００はパッシベーション膜２００を介して表示領域１１４と重なるように設けられる。
【００１９】
後述するように、タッチセンサ３００は複数の第１の電極３０２と複数の第２の電極３０４を有している。第１の電極３０２と第２の電極３０４の一方は送信電極（Ｔｘ）、他方は受信電極（Ｒｘ）とも呼ばれ、第１の電極３０２と第２の電極３０４を総じてタッチ電極とも呼ぶ。詳細は後述するが、第１の電極３０２と第２の電極３０４は互いに離間しており、これらの間で容量が形成される。人の指などが第１の電極３０２と第２の電極３０４を介して表示領域１１４に触れる（以下、タッチと記す）と、容量結合によって一方の電位が変動し、この電位の変化を読み取ることでタッチの位置が決定される。このように、第１の電極３０２と第２の電極３０４により、いわゆる投影型静電容量方式のタッチセンサ３００が形成される。以下、各構成の詳細を述べる。
【００２０】
［２．回路層１１０］
図２に回路層１１０の模式的上面図を示す。上述したように、回路層１１０は表示素子を有する複数の画素１１２を有し、これらによって表示領域１１４が構成される。各画素１１２には発光素子や液晶素子などの表示素子とともに表示素子を制御するためのトランジスタや容量素子などの複数の半導体素子が設けられる。各画素１１２が与える色は表示素子、あるいは画素１１２上に任意の構成として設けられるカラーフィルタの特性によって決定される。表示領域１１４の外側には、画素１１２の駆動を制御するための走査線側駆動回路１１６が設けられる。図２では、二つの走査線側駆動回路１１６が表示領域１１４を挟むように設けられているが、走査線側駆動回路１１６は一つでも良い。表示領域１１４や走査線側駆動回路１１６からは配線１１８が基板１０２の一つの側面へ延び、配線１１８は基板１０２の端部と表示領域１１４の間（額縁）で露出され、端子１２２を形成する。端子１２２にはフレキシブル印刷回路（ＦＰＣ）基板などのコネクタ１２６が接続され、走査線側駆動回路１１６や画素１１２を制御するための各種信号がコネクタ１２６を介して供給される。図２には示していないが、信号線側駆動回路として、半導体基板上に形成される集積回路１２８を基板１０２、あるいはコネクタ１２６上に設けてもよい（図４参照）。
【００２１】
図３に図２の鎖線Ａ−Ａ´に沿った断面模式図を示す。この断面図では、タッチセンサ３００は図示していない。ここでは表示素子の一例として発光素子１７０が各画素１１２に設けられる例が示されており、図３には発光素子１７０、および発光素子１７０を駆動するためのトランジスタ１４０などの半導体素子が図示されている。より具体的には、各画素１１２は、基板１０２と接するように設けられるアンダーコート１３０を介し、基板１０２上にトランジスタ１４０を有する。トランジスタ１４０は、半導体膜１４２、および半導体膜１４２上にゲート絶縁膜１４４を介してゲート電極１４６を有する。トランジスタ１４０はさらに、ゲート電極１４６を覆うように設けられる層間膜１５０、およびこの上に形成されるソース／ドレイン電極１５２、１５４を有する。ゲート絶縁膜１４４と層間膜１５０に設けられる開口において、ソース／ドレイン電極１５２、１５４は半導体膜１４２と電気的に接続される。
【００２２】
各画素１１２はさらに、ゲート電極１４６と同一の層に存在する容量電極１４８を有し、容量電極１４８はゲート絶縁膜１４４を介して半導体膜１４２の一部と重なる。ソース／ドレイン電極１５４の一部は層間膜１５０を介して容量電極１４８と重なり、互いに重なる半導体膜１４２の一部、ゲート絶縁膜１４４、容量電極１４８、層間膜１５０、およびソース／ドレイン電極１５４の一部によって保持容量が形成される。
【００２３】
トランジスタ１４０や保持容量上には平坦化膜１５６が設けられ、平坦化膜１５６に形成されるコンタクトホールにおいて、接続電極１５８がソース／ドレイン電極１５４と電気的に接続される。接続電極１５８はさらに発光素子１７０の画素電極１７２と電気的に接続され、これにより、トランジスタ１４０と発光素子１７０が電気的に接続される。平坦化膜１５６上には画素電極１７２の端部を覆う隔壁１６４が設けられ、これにより、コンタクトホールや画素電極１７２に起因する凹凸が吸収される。
【００２４】
発光素子１７０は画素電極１７２、画素電極１７２上の電界発光層（以下、ＥＬ層と記す）１７４、および対向電極１８２によって構成される。ＥＬ層１７４は単一、あるいは図３に示すように複数の層で構成される。ＥＬ層１７４は、電荷注入層、電荷輸送層、発光層、電荷阻止層など、種々の機能を有する層を適宜積層することで形成することができる。図３では、一例として、正孔注入・輸送層１７６、発光層１７８、電子注入・輸送層１８０を含むＥＬ層１７４が隔壁１６４、および画素電極１７２上に設けられる例が示されている。対向電極１８２は、複数の画素１１２にわたり、表示領域１１４の全体を覆うように形成される。
【００２５】
任意の構成として、各画素１１２は、付加容量電極１６０、付加容量電極１６０を覆う絶縁膜１６２を有することができる。付加容量電極１６０は画素電極１７２と重なるように設けることができ、これらの間に設けられる絶縁膜１６２とともに付加容量を形成する。付加容量は、図示しない配線によってソース／ドレイン電極１５４と接続され、ゲート電極１４６−ソース／ドレイン電極１５４間の電位の安定化に寄与する。なお、絶縁膜１６２は、平坦化膜１５６と隔壁１６４の接触を許容する開口を有していてもよい。この開口を通して隔壁１６４の形成工程中に平坦化膜１５６中に含まれる不純物を放出することができ、トランジスタ１４０を含む半導体素子の信頼性を向上させることができる。
【００２６】
本明細書、および請求項では、回路層１１０は、アンダーコート１３０から対向電極１８２までの各層を含む構造と定義される。なお、上述した画素１１２の構成は一例であり、画素１１２に含まれる半導体素子の構造や数、およびこれらの接続関係に制限はない。
【００２７】
［３．パッシベーション膜］
上述したように、パッシベーション膜２００は表示素子を保護するために設けられ、単一、あるいは複数の絶縁膜を含むことができる。図３では、パッシベーション膜２００が第１の層２０２、第２の層２０４、および第３の層２０６を有する例が示されている。この場合、第１の層２０２や第３の層２０６は、酸化ケイ素や窒化ケイ素、酸化窒化ケイ素、窒化酸化ケイ素などのケイ素を含有する無機化合物を含むことができる。第２の層２０４はエポキシ樹脂やアクリル樹脂、あるいはシリコン樹脂などの高分子を含むことができ、これにより、隔壁１６４に起因する凹凸を吸収し、平坦な面を画素１１２上に与えることができる。平坦な面を形成することで、その上に形成される第３の層２０６中のピンホールの発生や破損を防止することができる。
【００２８】
［４．タッチセンサ］
図４に、タッチセンサ３００が搭載された状態の表示装置１００の上面模式図を、図５にタッチセンサ３００の拡大図を示す。図４に示すように、タッチセンサ３００は表示領域１１４とほぼ同一の形状、大きさを有しており、表示領域１１４と重なる。
【００２９】
４．１  タッチ電極
図４、図５に示すように、複数の第１の電極３０２は、基板１０２の短辺に平行な方向に複数の行を形成する。各行において、複数の第１の電極３０２は直線状に配置され、隣接する二つの第１の電極３０２は互いに接続部３０２ａによって電気的に接続され、一つの配線（第１の配線）３１０を形成する。換言すると、第１の配線３１０は、互いに交互する複数の第１の電極３０２と複数の接続部３０２ａを有し、タッチセンサ３００は、ストライプ状に配置され、行方向（第１の方向）に延伸する複数の第１の配線３１０（第１から第ｎの送信配線。ｎは２以上の自然数）を含む。隣接する第１の配線３１０間では、第１の電極３０２は行方向に１／２ピッチシフトするように配置される。このため、行方向と交差する列方向（第２の方向）において、第１の電極３０２は接続部３０２ａと重なる。
【００３０】
一方、第２の電極３０４は基板１０２の長辺に平行な方向に沿ってジグザグパターンを有する列を形成する。各列において、隣接する二つの第２の電極３０４は互いに接続部３０４ａによって電気的に接続され、一つの配線（第２の配線）３２０を形成する。換言すると、第２の配線３２０は、互いに交互する複数の第２の電極３０４と複数の接続部３０４ａを有し、タッチセンサ３００は、ストライプ状に配置され、列方向に延伸する複数の第２の配線３２０（第１から第ｍの受信配線。ｍは２以上の自然数）を有する。同一の第２の配線３２０の隣接する第２の電極３０４は行方向において１／２ピッチシフトし、ジグザグパターンに配置される。このため、列方向において第２の電極３０４は接続部３０４ａと重なり、接続部３０４ａは第２の配線３２０が延伸する方向から傾く。一方、第１の配線３１０の接続部３０２ａは、第１の配線３１０が延伸する方向とほぼ平行に配置することができる。
【００３１】
ここで、第１の電極３０２と接続部３０２ａが同時に形成される場合、接続部３０２ａは一定の幅を有する領域であり、第１の電極３０２は隣接する接続部３０２ａに挟まれた領域として定義することができる。第１の電極３０２は、行方向と列方向において連続的に幅が変化する領域である。同様に、第２の電極３０４と接続部３０４ａが同時に形成される場合、接続部３０４ａは一定の幅を有する領域であり、第２の電極３０４は隣接する接続部３０４ａに挟まれた領域である。第２の電極３０４は、行方向と列方向において連続的に幅が変化する領域である。
【００３２】
第１の配線３１０と第２の配線３２０は離間し、電気的に独立される。このため、第１の配線３１０と第２の配線３２０の一方は投影型静電容量方式のタッチセンサの駆動配線（送信配線、あるいは駆動電極）として機能し、他方は検出配線（受信配線、あるいは検出電極）として機能する。第１の配線３１０と第２の配線３２０のいずれが駆動配線として機能してもよいが、以下に述べる実施形態では、便宜上、第１の配線３１０と第２の配線３２０がそれぞれ駆動配線、検出配線として機能するとして説明する。
【００３３】
図５のＢ−Ｂ´に沿った断面模式図を図６（Ａ）に示す。図６（Ａ）では、回路層１１０の構造は簡略化して示されている。図６（Ａ）に示すように、第１の配線３１０はパッシベーション膜２００上に設けられる。第１の配線３１０、すなわち第１の電極３０２や接続部３０２ａはパッシベーション膜２００と接するように設けてもよい。第１の配線３１０上には層間絶縁膜３２２が形成され、その上に第２の配線３２０が形成される。
【００３４】
図６（Ａ）に模式的に示すように、第１の電極３０２や第２の電極３０４のピッチは画素１１２のピッチよりも大きく、隣接する二つの接続部３０２ａの間、あるいは接続部３０４aの間には複数の画素１１２が設けられる。このため、複数の画素１１２が一つの第１の電極３０２、あるいは一つの第２の電極３０４と重なる。この場合、第１の電極３０２、第２の電極３０４は可視光を透過するように構成される。例えばインジウム−スズ酸化物（ＩＴＯ）やインジウム−亜鉛酸化物（ＩＺＯ）などの導電性を有する酸化物を含むよう、あるいは、可視光を透過可能な厚さを有する金属膜を用いて第１の電極３０２、第２の電極３０４が構成される。
【００３５】
第１の電極３０２や第２の電極３０４は多角形の形状を有し、例えば図４や図５に示すように、三角形、あるいは実質的に三角形の形状を有することができる。一つの第１の配線３１０では、両端の第１の電極３０２だけでなく、両端の第１の電極３０２に挟まれる第１の電極３０２も三角形などの多角形の形状を有する。同様に、一つの第２の配線３２０では、両端の第２の電極３０４だけでなく、両端の第２の電極３０４に挟まれる第２の電極３０４も三角形などの多角形の形状を有する。三角形は例えば、正三角形、二等辺三角形、直角三角形、直角二等辺三角形から選択することができる。正三角形、二等辺三角形、直角二等辺三角形のように２辺、または三辺が同一長さである場合、第１の電極の一つと隣り合う複数の第２の電極（または第２の電極と隣り合う第１の電極）において、第２の電極（または第１の電極）それぞれに対する第１の電極（または第２の電極）の感度が等しくなり、より正確に検出することができる。第１の電極３０２や第２の電極３０４が三角形の場合、これらの上面に平行な面において、第１の電極３０２の向きは第２の電極３０４の向きと反対になるようにタッチセンサ３００を構成することができる。
【００３６】
なお、第１の電極３０２や第２の電極３０４の形成は、フォトリソグラフィーによって形成されるため、厳密には第１の電極３０２や第２の電極３０４の角は完全な角ではなく、第１の電極３０２や第２の電極３０４の上面に平行な面内で曲線を描く。ただし本発明の実施形態においては、このような曲線は、その曲線によって特異的な効果が発揮されない限り考慮する必要は無く、第１の電極３０２や第２の電極３０４は角に曲線を有していても実質的に多角形であれば、それを備えるタッチセンサや表示装置は本発明の実施形態に含まれる。
【００３７】
タッチセンサ３００では、駆動配線として働く第１の配線３１０にパルス状の電位が印加される。タッチの際に生じる第１の電極３０２と第２の電極３０４の間の容量結合によって、検出配線（ここでは第２の配線３２０）の電位が変動する。この変動を検知することでタッチの位置（座標）が決定される。しかしながら図６（Ａ）に示すように、タッチセンサ３００の下には発光素子１７０の対向電極１８２が設けられており、第１の電極３０２や第２の電極３０４は対向電極１８２とも容量（寄生容量）を形成する。この寄生容量に対して第１の電極３０２と第２の電極３０４間の容量が十分に大きくない場合、タッチによる容量の変化が不十分になり、検出信号の感度やＳ／Ｎ比が低下する。特に検出配線（ここでは第２の配線３２０）と対向電極１８２間の寄生容量が大きくなると、寄生容量の影響が顕著となる。
【００３８】
対向電極１８２と第２の電極３０４間の寄生容量は第２の電極３０４の面積で決まる。これは、対向電極１８２は表示領域１１４の全体を覆うように形成されるためであり、第２の電極３０４の面積に対して対向電極１８２の面積は実質的に一定とみなすことができるためである。一方、第１の電極３０２と第２の電極３０４間の容量は、互いに対向する辺の長さで決まる。したがって、第１の電極３０２と第２の電極３０４の互いに対向する辺の長さに対し、第２の電極３０４の面積を小さくすることで検出信号の感度やＳ／Ｎ比を増大することができ、高い検出感度と検出精度を実現することができる。
【００３９】
図４や図５に示した形状を有するタッチセンサ３００では、図７（Ａ）に示すように、一つの第２の電極３０４は三つの第１の電極３０２に取り囲まれる。すなわち、一つの受信電極（第２の電極３０４）は、第ｋ（ｋは１以上ｎ未満の自然数）の送信配線（第２の配線３２０）の隣接する二つの送信電極と、第（ｋ＋１）の送信配線の送信電極に囲まれる。第２の電極３０４の各辺は、隣接する第１の電極３０２の一辺とほぼ平行であり、対向する。したがって、第２の電極３０４は、隣接する三つの第１の電極３０２と容量Ｃ１、Ｃ２、Ｃ３を形成する。ここで、第２の電極３０４が三辺の和がＡである正三角形とすると、第１の電極３０２と第２の電極３０４が互いに対向する辺の長さの総和は、一つの第２の電極３０４の辺の長さの総和と等しく、Ａとなる。一方第２の電極３０４は、一辺がＡ／３、高さが３１／２×Ａ／６の三角形であるため、その面積Ｓは以下の式（１）で表される。
【００４０】
【数２】
2018205623.tif 000004
（１）
【００４１】
よって、第１の電極３０２と容量を形成する第２の電極３０４の、第１の電極３０２と対向する辺の長さの総和に対する第２の電極３０４の面積の比、すなわち、第２の電極３０４の辺の長さの総和Ａに対する面積Ｓの比Ｒ（＝Ｓ／Ａ）は、０．０４８Ａとなる。
【００４２】
これに対し、一般的なタッチセンサの駆動配線や検出配線に用いられるダイヤモンド型電極の場合、図７（Ｂ）に示すように、一つの第２の電極３０４は四つの第１の電極３０２に取り囲まれ、容量Ｃ´１からＣ´４を形成する。したがって、第２の電極３０４の辺の長さの総和をＡとすると、第１の電極３０２と第２の電極３０４が互いに対向する辺の長さの総和は、第２の電極３０４の辺の長さの総和と等しく、Ａとなる。一方第２の電極３０４は、一辺がＡ／４の正方形であるため、その面積ＳはＡ２／１６となり、比Ｒは０．０６３Ａとなる。このため、第１の電極３０２や第２の電極３０４の形状を三角形にすることで、比Ｒを小さくすることができ、その結果、タッチセンサ３００は高い検出感度と検出精度を示すことができる。
【００４３】
本実施形態のタッチセンサ３００では、必ずしも第２の電極３０４の辺の長さの総和Ａに対する面積Ｓの比Ｒが０．０４８Ａである必要は無く、０．０４２Ａ以上０．０６３Ａ未満、０．０４２Ａ以上０．０６２Ａ未満、０．０４８Ａ以上０．０６３Ａ未満、あるいは０．０４８Ａ以上０．０６２Ａ未満とすることができる。換言すると、第２の配線３２０の複数の第２の電極３０４の各々、あるいは第２の配線３２０に接続される複数の第２の電極の各々は、以下の式（２）乃至（５）のいずれかを満たせばよく、その形状は任意の多角形から選択することができる。
【００４４】
【数３】
2018205623.tif 000005
（２）
【００４５】
【数４】
2018205623.tif 000006
（３）
【００４６】
【数５】
2018205623.tif 000007
（４）
【００４７】
【数６】
2018205623.tif 000008
（５）
【００４８】
なお、この条件は第１の電極３０２にも適用することができる。
【００４９】
図５や図６（Ａ）で示した例では、第１の配線３１０と第２の配線３２０は異なる層に存在するが、この場合、駆動配線として機能する第１の配線３１０が回路層１１０により近くなるよう、タッチセンサ３００を構成することが好ましい。これは、タッチの検出は第２の配線３２０の電位の変動を検知することで行うため、対向電極１８２と第２の配線３２０間の寄生容量の影響が対向電極１８２と第１の配線３１０間のそれよりも大きいためである。
【００５０】
第１の配線３１０と第２の配線３２０は同一の層に存在してもよい。例えば図８に示すように、第１の電極３０２と第２の電極３０４が同一の層に存在するよう、同時に形成する。その後、隣接する第２の電極３０４を電気的に接続するために、接続部３０４ａを第１の配線３１０と交差するよう、層間絶縁膜３２２を介して接続部３０２ａの上に形成する。この場合、鎖線Ｃ−Ｃ´に沿った断面模式図（図６（Ｂ））に示すように、第１の電極３０２と第２の電極３０４はパッシベーション膜２００と接するように形成してもよい。接続部３０４ａは、第１の電極３０２と第２の電極３０４を覆う層間絶縁膜３２２の上に形成され、図示しない開口を介して第２の電極３０４と接続される。また、図示しないが、タッチセンサ３００の構造はこれに限られず、接続部３０４ａを回路層１１０により近くなるよう配置し、その上に層間絶縁膜３２２を設け、さらにその上に第１の電極３０２と第２の電極３０４を同時に形成した構造でもよい。第２の電極３０４は、層間絶縁膜３２２に設けた図示しない開口を介して接続部３０４ａと接続される。前述の通り、タッチの検出は第２の配線３２０の電位の変動を検知することで行うため、層間絶縁膜３２２を介することで対向電極１８２と第２の配線３２０間の寄生容量を低減でき、この寄生容量の影響を小さくすることができる。
【００５１】
第１の配線３１０、第２の配線３２０上には、第１の電極３０２や第２の電極３０４に起因する凹凸を吸収、緩和するための平坦化絶縁膜３２４が設けられ、この上には図示しない接着層を介して偏光板２１０を設けることができる（図６）。偏光板２１０上には対向基板１０４を任意の構成として設けてもよい。対向基板１０４は基板１０２と同様の材料を含むことができる。
【００５２】
４．２  周辺構造
図４を参照すると、第１の配線３１０や第２の配線３２０は、それぞれ表示領域外を延びる配線３０６に接続される。配線３０６は端子１２２が形成される基板１０２の側面へ延び、基板１０２の端部と表示領域１１４の間（額縁）で露出されて端子１２０を形成する。端子１２２には、端子１２０が接続されるコネクタ１２６を接続することができ、これにより、タッチ検出のための信号を図示しない外部回路からタッチセンサ３００へ供給することができる。端子１２０を端子１２２の近傍に配置することで、表示領域１１４のみならず、タッチセンサ３００を単一のコネクタ１２６によって制御することができ、製造工程を簡素化することができる。
【００５３】
図４の鎖線Ｄ−Ｄ´に沿った断面模式図を図９に示す。図９に示すように、基板１０２の端部（図中、右側の端部）と表示領域１１４の間（すなわち、額縁）の回路層１１０には走査線側駆動回路１１６が設けられ、その上にはパッシベーション膜２００や層間絶縁膜３２２を介し、配線３０６が額縁内に設けられる。額縁では平坦化膜１５６の一部が除去され、シリコン含有無機化合物を含む層間膜１５０とパッシベーション膜２００の第１の層２０２が接することができる。また、パッシベーション膜２００の第２の層２０４は、基板１０２の端部に届かないように形成され、第１の層２０２と第３の層２０６によって封止される。このような構成では、樹脂などの有機化合物を含む平坦化膜１５６が基板１０２の端部で露出することを防ぐことができ、水や酸素などの不純物が平坦化膜１５６に侵入し、発光素子１７０などに悪影響を及ぼすことを抑制することができる。
【００５４】
上述したように、本実施形態のタッチセンサ３００では、第１の電極３０２や第２の電極３０４の少なくと一方の辺の長さの総和Ａに対する面積Ｓの比Ｒが上述した範囲に調整される。その結果、発光素子の対向電極と検出配線、あるいは対向電極と駆動配線との間の寄生容量を低減することができ、検出配線の電位の変動をより正確に検知することができる。このため、検出感度が高く、検出精度に優れたタッチセンサ、およびこれが搭載される表示装置を提供することができる。
【００５５】
（第２実施形態）
本実施形態では、第１実施形態のタッチセンサ３００とは異なる構造を有するタッチセンサ３３０を説明する。第１実施形態と同様の構成に関しては説明を省略することがある。
【００５６】
タッチセンサ３３０においては、第１の電極３０２や第２の電極３０４それぞれの形状はタッチセンサ３００のそれらと実質的に同一であるが、これらがメッシュ状である点で異なる。具体的には図１０（Ａ）に示すように、各第１の電極３０２、第２の電極３０４は複数の開口を有し、画素１１２は開口と重なるように設けられる。また、第１の電極３０２、第２の電極３０４の各々は、行方向と列方向において、その幅が段階的に変化する。
【００５７】
図１１にタッチセンサ３３０とそれと重なる画素１１２の上面拡大図を示す。ここでは一例として、第２の電極３０４と、その下に設けられ、ストライプ配列した複数の画素１１２が示されている。ストライプ配列では、互いに異なる色を与える複数の画素１１２が複数の行と列を有するマトリクス状に配列する。複数の画素１１２から得られる色を組み合わせることで、白色が得られる。白色が得られる画素１１２の組み合わせのうち、最も少ない画素１１２の組み合わせが一つの画素グループ１１２＿ｇであり、図１１では画素１１２＿１、１１２＿２、１１２＿３が一つの画素グループ１１２＿ｇに相当する。
【００５８】
図示しないが、第２の電極３０４の開口に一つの画素１１２が重なっていてもよい。このような構成にすることで、画素間を通る電極幅を小さくしても十分に検出感度が高く、検出精度に優れたタッチセンサを提供することができる。また、図１１に示すように、第２の電極３０４の開口には、一つ以上の画素グループ１１２＿ｇが重なってもよい。この場合、第２の電極３０４の開口には、三つ以上の画素１１２が重なる。隣接する開口の間の領域（以下、メッシュ配線と記す）が隣接する画素１１２の間に位置するよう、第２の電極３０４と画素１１２が配置される。したがって、メッシュ配線のピッチ（すなわち開口のピッチ）Ｐоは画素１１２のピッチＰｐの整数倍となる。また、ピッチＰоは画素グループ１１２＿ｇのピッチＰｐｇの整数倍としても良い。すなわち、第２の電極３０４の開口と重なる領域に複数の画素グループ１１２＿ｇを設けることができる。図示しないが、第１の電極３０２と画素１１２のレイアウトも同様である。このような構成は、特に精細度の高い表示装置において好適であり、検出感度が高く、検出精度に優れたタッチセンサを提供するだけでなく、発光をより効果的に利用することができ、これは消費電力の低減に寄与する。特に、斜め方向からの輝度や色度特性への影響を抑制することができる。
【００５９】
図１１の鎖線Ｅ−Ｅ´に沿った断面図を図１２に模式的に示す。図１２に示すように、メッシュ配線は隣接する画素１１２の間に位置する隔壁１６４と重なるように設けられる。メッシュ配線は、隔壁と重なる領域以外には設置されず、この領域内に制限されるように形成してもよい。メッシュ配線が画素１１２と重ならないため、画素１１２からの発光はメッシュ配線に遮られない。したがって、発光素子１７０からの発光を効果的に利用することができ、これは消費電力の低減に寄与する。また、メッシュ配線には導電性の高い金属を含むことができ、かつ、低いシート抵抗を確保するための十分な厚さを付与することができる。このため、第１の電極３０２と第２の電極３０４の電気抵抗が小さく、タッチに対する応答の時定数を小さくすることができる。その結果、タッチセンサとしての応答速度を向上させることができる。
【００６０】
なお、メッシュ状の第１の電極３０２、第２の電極３０４の形状も、第１実施形態で述べたように、正三角形、三角形、二等辺三角形、直角三角形、直角二等辺三角形を含む多角形とすることができる。この場合、図１０（Ｂ）に示すように、幅が段階的に変化する領域を取り囲むことができ、かつ、この領域が内接する最小面積を有する多角形（三角形、四角形、五角形、六角形、七角形、あるいは八角形）が第１の電極３０２、第２の電極３０４の形状として定義される。
【００６１】
図１０（Ａ）に示した例では、第１の電極３０２と第２の電極３０４は同一の層に形成されており、図１０（Ａ）の鎖線Ｆ−Ｆ´に沿った断面模式図（図１３）に示すように、第１の電極３０２の接続部３０２ａは、パッシベーション膜２００と層間絶縁膜３２２の間に設けられる。一方、第１の電極３０２、第２の電極３０４は層間絶縁膜３２２上に形成され、層間絶縁膜３２２に形成される開口部において隣接する第１の電極３０２が接続部３０２ａによって電気的に接続される。図示しないが、タッチセンサ３３０の構造はこれに限られず、第１の電極３０２、第２の電極３０４の上に層間絶縁膜３２２を設け、その上に接続部３０２ａを形成してもよい。また、第１の電極３０２と第２の電極３０４は互いに異なる層に存在してもい。この場合、第１の電極３０２とその接続部３０２ａは同時に形成され、これらを層間絶縁膜３２２で覆った後に第２の電極３０４とその接続部３０４ａが同時に形成される。
【００６２】
画素１１２の配列はストライプ配列に限られない。例えば図１４に示すように、画素グループ１１２＿ｇ内で１つの画素１１２（ここでは画素１１２＿３）の面積が他の画素１１２（ここでは画素１１２＿１、１１２＿２）の面積と異なり、二つの画素１１２が同一の列に配置される配列を選択してもよい。この場合もメッシュ配線のピッチＰоが画素１１２のピッチＰｐや画素グループ１１２＿ｇのピッチＰｐｇの整数倍となるようにメッシュ配線を配置することができる。さらに図１５に示すように、四つの画素１１２＿１、１１２＿２、１１２＿３、１１２＿４で一つの画素グループ１１２＿ｇが構成され、これらが四角形の頂点に位置するように配列し、かつ、その四角形の対角線が表示領域１１４の長辺と短辺と平行になる配列を採用してもよい。この場合、メッシュ配線は表示領域１１４の長辺と短辺から傾くように配置される。したがって、第１の電極３０２、第２の電極３０４の各々は、行方向や列方向から傾いた方向において幅が段階的に変化する。
【００６３】
上述したように、本実施形態を適用することで、消費電力が低く、大きな応答速度を有するタッチセンサ、およびこれが搭載された表示装置を提供することができる。
【００６４】
（第３実施形態）
本実施形態では、第１実施形態とは異なるタッチセンサ３４０、３５０に関し、図１６、図１７を用いて説明する。第１、第２実施形態と同様の構成については説明を省略することがある。
【００６５】
タッチセンサ３４０は、第１の電極３０２と第２の電極３０４の配置が異なる点でタッチセンサ３００と異なる。具体的には、図１６に示すように、隣接する第１の配線３１０において、第１の電極３０２は列方向においてシフトせず、第１の電極３０２同士が列方向で重なる。同様に、同一の第２の配線３２０において、第２の電極３０４は列方向においてシフトせず、第２の電極３０４同士が列方向で重なる。したがって、第１の電極３０２と第２の電極３０４は、それぞれ行方向、列方向において直線状に配置される。この場合、一つの第２の電極３０４は四つの第１の電極３０２に取り囲まれる。すなわち、一つの受信電極は、第ｋの送信配線が有する隣接する二つの送信電極と、第（ｋ＋１）の送信配線が有する隣接する二つの送信電極に囲まれる。また、この受信電極の一つの辺は、第（ｋ＋１）の送信配線の二つの送信電極の一方の辺と他方の辺と平行である。
【００６６】
隣接する第２の電極３０４を電気的に接続する接続部３０４ａは、第２の配線３２０が延伸する方向と平行に配置される。このため、接続部３０４ａの長さを短くすることができ、第２の配線３２０の抵抗が低減される。その結果、タッチに対する応答の時定数を小さくすることができる。
【００６７】
タッチセンサ３５０は、図１７に示すように、第１の電極３０２、第２の電極３０４の形状が直角三角形である点でタッチセンサ３４０と異なる。第１の電極３０２、第２の電極３０４が直角三角形の場合、第１の電極３０２、第２の電極３０４の各々において、辺の長さの総和Ａに対する面積Ｓの比Ｒをより小さくすることができる。具体的には、辺の長さの総和をＡとすると比Ｒは、０．０４２９Ａとなる。このため、より高い検出感度と検出精度を実現することができる。
【００６８】
（第４実施形態）
本実施形態では、第１実施形態とは異なるタッチセンサ３６０、３７０、３８０、３９０に関し、図１８から図２１を用いて説明する。第１乃至第３実施形態と同様の構成については説明を省略することがある。
【００６９】
タッチセンサ３６０は、一つの第２の電極３０４（受信電極）がそれを囲む複数の第１の電極３０２（送信電極）と容量を形成し、これら複数の第１の電極３０２が異なる三つの第１の配線（送信配線）に接続される点でタッチセンサ３００などと異なる。
【００７０】
より具体的には図１８に示すように、タッチセンサ３６０は、ストライプ状に配列された複数の第１の配線（第１から第ｎの送信配線）３１０、ストライプ状に配列され、第１の配線３１０と交差する複数の第２の配線（第１から第ｍの受信配線）３２０を有する。第１の配線３１０の各々は、複数の第１の電極（送信電極）３０２と接続され、第２の配線３２０の各々は、複数の第２の電極（受信電極）３０４と接続される。図１８には、九つの第１の配線３１０＿１から３１０＿９と四つの第２の配線３２０＿１から３２０＿４が図示されている。
【００７１】
連続して配列する三つの第１の配線３１０（すなわち第ｋ乃至第（ｋ＋２）の送信配線）では、これらに接続される第１の電極３０２の配置が互いに異なる。例えば第ｋの送信配線を第１の配線３１０＿４とすると、第１の配線３１０＿４には、第１の配線３１０＿４に対して片側だけに位置する第１の電極３０２が接続される。同様に、第（ｋ＋２）の送信配線である第１の配線３１０＿６には、第１の配線３１０＿６に対して片側だけに位置する第１の電極３０２が接続される。また、第１の配線３１０＿４と第１の配線３１０＿６に接続される第１の電極３０２は、第１の配線３１０＿４と第１の配線３１０＿６に挟まれる。一方、第１の配線３１０＿４と第１の配線３１０＿６に挟まれる第１の配線３１０＿５は第（ｋ＋１）の送信配線であり、、第１の配線３１０＿５に対して両側に位置する第１の電極３０２が接続される。
【００７２】
タッチセンサ３６０では、隣接する二つの第１の配線３１０間に挟まれる第１の電極３０２と第２の電極３０４の数が異なり、前者が後者よりも多い。隣接する二つの第１の配線３１０間では、二つの第１の電極３０２が、互いに隣接する第２の電極３０４の間に挟まれる。このため、発光素子１７０の対向電極１８２との寄生容量による影響がより大きい第２の電極３０４の数を減らすことができる。
【００７３】
タッチセンサ３６０の第２の電極３０４は、連続して配列する三つの第１の配線３１０にそれぞれ接続される三つの第１の電極３０２に囲まれる。例えば図１８に示した第２の電極３０４＿１は、第１の配線３１０＿１に接続される第１の電極３０２＿１（第ｋの送信配線に接続される送信電極）、第１の配線３１０＿２に接続される第１の電極３０２＿２（第（ｋ＋１）の送信配線に接続される送信電極）、第１の配線３１０＿３に接続される第１の電極３０２＿３（第（ｋ＋２）の送信配線に接続される送信電極）に囲まれ、これらの電極間でそれぞれ容量が形成される。換言すると、一つの第２の配線３２０が三つの第１の配線３１０と容量を形成する。なお、第２の配線３２０＿２に隣接する第２の配線３２０＿３の第２の電極３０４＿２は、第２の配線３２０＿２の第２の電極３０４＿１と容量を形成する第１の電極３０２＿１、３０２＿２、３０２＿３とは容量を形成しない。
【００７４】
図１９に示すタッチセンサ３７０は、一つの第２の電極３０４が容量を形成する三つの第１の電極３０２が、他の第２の電極３０４と容量を形成しない（すなわち、共有されない）点でタッチセンサ３６０と異なる。具体的には、第２の電極３０４＿１は、第１の配線３１０＿３に接続される第１の電極３０２＿１（第ｋの送信配線に接続される送信電極）、第１の配線３１０＿４に接続される第１の電極３０２＿３（第（ｋ＋１）の送信配線に接続される送信電極）、第１の配線３１０＿５に接続される第１の電極３０２＿２（第（ｋ＋２）の送信配線に接続される送信電極）に囲まれ、これらの電極間でそれぞれ容量が形成される。また、同一の第２の配線３２０＿３に接続され、第２の電極３０４＿１と隣接する第２の電極３０４＿２は、第２の電極３０４＿１と容量を形成する第１の電極３０２＿１、３０２＿２、３０２＿３とは容量を形成しない。同様に、第２の配線３２０＿３に隣接する第２の配線３２０＿４の第２の電極（例えば第２の電極３０４＿３）は、第１の電極３０２＿１、３０２＿２、３０２＿３とは容量を形成しない。
【００７５】
タッチセンサ３００と同様、タッチセンサ３６０、３７０では、ユーザによるタッチによって容量結合が生じ、これが第２の配線３２０の電圧の波形の変化として検出される。このため、三種類の異なる送信配線との間のカップリング信号の変化としてタッチを検出することができ、より精度の高いなタッチ検出が実現できる。また、第２の電極３０４の辺の長さの総和Ａに対する面積Ｓの比Ｒが小さいため、発光素子の対向電極と駆動配線、検出配線との間の寄生容量を低減することができ、検出配線の電位の変動をより正確に検知することができる。その結果、検出感度が高く、検出精度に優れたタッチセンサ、およびこれが搭載される表示装置を提供することができる。
【００７６】
第１の配線３１０や第２の配線３２０の配置は図１９に示したものに限られない。例えば図２０に示すタッチセンサ３８０のように、一つの第１の配線３１０を挟持し、互いに隣接する第１の配線３１０が、挟持された第１の配線３１０について線対称の配置を有することができる。例えば第１の配線３１０＿５（第（ｋ＋１）の送信配線）を挟持し、互いに隣接する第１の配線３１０＿４、３１０＿６（第ｋと第（ｋ＋１）の送信配線）は、第１の配線３１０＿５について線対称の配置を有する。
【００７７】
あるいは図２１に示すタッチセンサ３９０のように、同一の第２の配線３２０に設けられ、互いに隣接する接続部３０２ａが交差する第１の配線３１０の数が周期的に変化するよう、第１の配線３１０や第２の配線３２０を配置してもい。図２１に示した例では、第２の配線３２０＿２の接続部３０２ａ＿１は、五つの第１の配線３１０＿３から３１０＿７と交差するが、接続部３０２ａ＿２は三つの第１の配線３１０＿８から３１０＿１０と交差する。接続部３０２ａの一部（例えばここでは接続部３０２ａ＿２）は、第２の配線３２０が延伸する方向に対して平行でも良い。
【００７８】
（第５実施形態）
本実施形態では、第４実施形態とは異なるタッチセンサ４００、４１０、４２０、４３０について、図２２（Ａ）から図２６を用いて説明する。第１乃至第４実施形態と同様の構成については説明を省略することがある。
【００７９】
図２２（Ａ）に示すタッチセンサ４００は、第１の電極３０２、第２の電極３０４の形状が四角形である点でタッチセンサ３６０、３７０と異なる。タッチセンサ４００では、図２２（Ｂ）に示すように、一つの第２の電極３０４は隣接する六つの第１の電極３０２とそれぞれ容量Ｃ１からＣ６を形成する。また、図２２（Ａ）から理解されるように、六つの第１の電極３０２のうち二つは第ｋの第１の配線（第ｋの送信配線。例えば第１の配線３１０＿１）と、二つは第（ｋ＋１）の第１の配線（第（ｋ＋１）の送信配線。例えば第１の配線３１０＿２）と、残りの二つは第（ｋ＋２）の第１の配線（第（ｋ＋２）の送信配線（例えば第１の配線３１０＿３）と接続される。このため、三種類の異なる送信配線との間のカップリング信号の変化としてタッチを検出することができ、より精度の高いタッチ検出が実現できる。
【００８０】
本実施形態のタッチセンサは上記構造に限られず、例えば図２３に示すタッチセンサ４１０のように、第１の電極３０２の形状、あるいは面積を第２の電極３０４のそれと異なるように構成してもよい。タッチセンサ４１０では、第１の電極３０２の面積が第２の電極３０４よりも大きい。この場合、第２の配線３２０は、第１の電極３０２と重なってもよい。
【００８１】
このような構成では、第２の電極３０４が対向する第１の電極３０２の辺の長さの総和が増大するため、より大きな容量が第１の電極３０２と第２の電極３０４の間に形成されるため、より応答速度が大きく、精度の高いタッチ検出が可能となる。
【００８２】
本実施形態のタッチセンサはさらに、図２４（Ａ）に示すタッチセンサ４２０のように、第１の電極３０２や第２の電極３０４が六角形であってもよい。この場合、図６（Ｂ）に示すように、一つの第２の電極３０４は隣接する六つの第１の電極３０２とそれぞれ容量Ｃ１からＣ６を形成する。また、図２４（Ａ）から理解されるように、六つの第１の電極３０２のうち二つは第ｋの第１の配線（第ｋの送信配線。例えば第１の配線３１０＿１）と、二つは第（ｋ＋１）の第１の配線（第（ｋ＋１）の送信配線。例えば第１の配線３１０＿２）と、残りの二つは第（ｋ＋２）の第１の配線（第（ｋ＋２）の送信配線。例えば第１の配線３１０＿３）と接続される。このため、三種類の異なる送信配線との間のカップリング信号の変化としてタッチを検出することができ、より精度の高いタッチ検出が実現できる。さらに、第１の電極３０２や第２の電極３０４の形状が六角形であることから、第１の電極３０２や第２の電極３０４を均等に配置することができ、容量Ｃ１からＣ６の大きさのばらつきを低減することができる。このため、第２の配線３２０の電圧変化のばらつきを抑制することが可能である。
【００８３】
あるいは図２５に示すタッチセンサ４３０のように、第１の電極３０２と第２の電極３０４の形状や面積さが互いに異なるよう、本実施形態のタッチセンサを構成してもよい。また、第１の配線３１０には異なる形状や面積を有する第１の電極３０２が接続されてもよい。図２５に示した例では、第２の電極３０４は八角形である。これに対し、第１の配線３１０の一部は四角形の第１の電極３０２＿１に接続され、他は八角形の第１の電極３０２＿２に接続される。四角形の第１の電極３０２＿１と接続される第１の配線３１０と、八角形の第１の電極３０２＿２と接続される第１の配線３１０は互いに交互していてもよい。
【００８４】
タッチセンサ４３０では、図２６に示すように、一つの第２の電極３０４は、隣接する八つの第１の電極３０２と容量Ｃ１からＣ８を形成する。具体的には、第２の電極３０４は四つの第１の電極３０２＿１と容量Ｃ２、Ｃ４、Ｃ６、Ｃ８を形成し、四つの第１の電極３０２＿２と容量Ｃ１、Ｃ３、Ｃ５、Ｃ７を形成する。また、図２５から理解されるように、一つの第２の電極３０４と容量を形成する八つの第１の電極３０２は、四つの第１の配線３１０と接続される。具体的には、図２５において符号を付した第２の電極３０４は、第１の配線３１０＿１に接続される一つの第１の電極３０２＿１（第ｋの送信配線に接続される一つの送信電極）、第１の配線３１０＿２に接続される二つの第１の電極３０２＿２（第（ｋ＋１）の送信配線に接続される二つの送信電極）、第１の配線３１０＿３に接続される三つの第１の電極３０２＿１（第（ｋ＋２）の送信配線に接続される三つの送信電極）、および第１の配線３１０＿４に接続される二つの第１の電極３０２＿２（第（ｋ＋３）の送信配線に接続される二つの送信電極）と容量を形成する。このため、四種類の異なる送信配線との間のカップリング信号の変化としてタッチを検出することができ、より精度の高いタッチ検出が実現できる。
【００８５】
本発明の実施形態として上述した各実施形態は、相互に矛盾しない限りにおいて、適宜組み合わせて実施することができる。また、各実施形態の表示装置を基にして、当業者が適宜構成要素の追加、削除もしくは設計変更を行ったもの、又は、工程の追加、省略もしくは条件変更を行ったものも、本発明の要旨を備えている限り、本発明の範囲に含まれる。
【００８６】
本明細書においては、開示例として主にＥＬ表示装置の場合を例示したが、他の適用例として、その他の自発光型表示装置、液晶表示装置、あるいは電気泳動素子などを有する電子ペーパ型表示装置など、あらゆるフラットパネル型の表示装置が挙げられる。また、中小型から大型まで、特に限定することなく適用が可能である。
【００８７】
上述した各実施形態の態様によりもたらされる作用効果とは異なる他の作用効果であっても、本明細書の記載から明らかなもの、又は、当業者において容易に予測し得るものについては、当然に本発明によりもたらされるものと解される。
【符号の説明】
【００８８】
１００：表示装置、１０２：基板、１０４：対向基板、１１０：回路層、１１２：画素、１１２＿ｇ：画素グループ、１１４：表示領域、１１６：走査線側駆動回路、１１８：配線、１２０：端子、１２２：端子、１２６：コネクタ、１２８：集積回路、１３０：アンダーコート、１４０：トランジスタ、１４２：半導体膜、１４４：ゲート絶縁膜、１４６：ゲート電極、１４８：容量電極、１５０：層間膜、１５２：ソース／ドレイン電極、１５４：ソース／ドレイン電極、１５６：平坦化膜、１５８：接続電極、１６０：付加容量電極、１６２：絶縁膜、１６４：隔壁、１７０：発光素子、１７２：画素電極、１７４：ＥＬ層、１７６：正孔注入・輸送層、１７８：発光層、１８０：電子注入・輸送層、１８２：対向電極、２００：パッシベーション膜、２０２：第１の層、２０４：第２の層、２０６：第３の層、２１０：偏光板、３００：タッチセンサ、３０２：第１の電極、３０２ａ：接続部、３０４：第２の電極、３０４ａ：接続部、３０６：配線、３１０：第１の配線、３２０：第２の配線、３２２：層間絶縁膜、３２４：平坦化絶縁膜、３３０：タッチセンサ、３４０：タッチセンサ、３５０：タッチセンサ、３６０：タッチセンサ、３７０：タッチセンサ、３８０：タッチセンサ、３９０：タッチセンサ、４００：タッチセンサ、４１０：タッチセンサ、４２０：タッチセンサ、４３０：タッチセンサ
【図１】
2018205623.tif 000011
【図２】
2018205623.tif 000012
【図３】
2018205623.tif 000013
【図４】
2018205623.tif 000014
【図５】
2018205623.tif 000015
【図６】
2018205623.tif 000016
【図７】
2018205623.tif 000017
【図８】
2018205623.tif 000018
【図９】
2018205623.tif 000019
【図１０】
2018205623.tif 000020
【図１１】
2018205623.tif 000021
【図１２】
2018205623.tif 000022
【図１３】
2018205623.tif 000023
【図１４】
2018205623.tif 000024
【図１５】
2018205623.tif 000025
【図１６】
2018205623.tif 000026
【図１７】
2018205623.tif 000027
【図１８】
2018205623.tif 000028
【図１９】
2018205623.tif 000029
【図２０】
2018205623.tif 000030
【図２１】
2018205623.tif 000031
【図２２】
2018205623.tif 000032
【図２３】
2018205623.tif 000033
【図２４】
2018205623.tif 000034
【図２５】
2018205623.tif 000035
【図２６】
2018205623.tif 000036